(57)【要約】 【課題】開閉翼片が明るく輝き、遊技者の興味を引くパチンコ機の入賞装置とする。【解決手段】開閉翼片４の背部位置の取付ベース１に発光体収容孔１７を設け、ここに発光体６２ａを収容する。発光体収容孔１７に、透光性のピン止め６３を取付ける。開閉翼片４を透光性を有する樹脂から形成し、開閉翼片４を開閉可能に支える支軸ピン６０の一端をピン止め６３に取付ける。発光体６２ａが発光すると、開閉翼片４はその背部から照らされて、光り輝く。また、開閉翼片４の下部前面を覆う前面板２に、透光窓２４を設け、ここにレンズ部２５を嵌め込んでいるために、前面板２を輝かせることができる。【選択図】  図２
2005040336.tif 000002
【特許請求の範囲】
【請求項１】
パチンコ機の遊技盤の前面に取付ける取付ベースの前方に、開閉する一対の開閉翼片を設けたパチンコ機の入賞装置において、
前記取付ベースには、該開閉翼片の背部位置に発光体収容孔を設け、該発光体収容孔内に発光体を収容するとともに、前記開閉翼片を透光性を有する樹脂から形成して、前記発光体の光を透光させることを特徴とするパチンコ機の入賞装置。
【請求項２】
発光体収容孔は、開閉翼片を開閉可能に支える支軸ピンの軸線上に設けていることを特徴とする請求項１記載のパチンコ機の入賞装置。
【請求項３】
発光体収容孔に、透光性のピン止めを取付け、該ピン止めに開閉翼片を開閉可能に支える支軸ピンの一端を取付けていることを特徴とする請求項１、２記載のパチンコ機の入賞装置。
【請求項４】
取付けベースに取付けた前面板により、開閉翼片の下部前面を覆い、該前面板には透光窓を設けていることを特徴とする請求項１〜３記載のパチンコ機の入賞装置。
【請求項５】
透光窓には、光を分散させるレンズが取付けられていることを特徴とする請求項４記載のパチンコ機の入賞装置。
【請求項６】
開閉翼片は、透明体からなる内部翼片と、該内部翼片の背部を露出するとともに該内部翼片の一部を露出する窓部を設けている外殻翼片とからなることを特徴とする請求項１〜３記載のパチンコ機の入賞装置。
【請求項７】
取付ベースの前面に発光体収容孔に連続してベース発光凹部を形成し、該ベース発光凹部の前面を透光性の透光飾りにより被覆していることを特徴とする請求項１〜３記載のパチンコ機の入賞装置。
【発明の詳細な説明】
【技術分野】
【０００１】
この発明は、パチンコ機の遊技盤の前面に取付けるパチンコ機の入賞装置に関する。
【背景技術】
【０００２】
従来からパチンコ機の遊技面に取付ベースを取付け、その取付ベースの前方で一対の開閉翼片を開閉するパチンコ機の入賞装置は、よく知られている。そして、遊戯中に発光体を発光させて遊技者の興味を引く入賞装置も知られている。
【０００３】
例えば特許文献１には、開閉翼片の前方に設ける前面板に、発光素子を発光させるプリント基板を取付けて、前面板を明るく輝かせる入賞装置を開示している。
【０００４】
また、特許文献２には、開閉翼片を透光性樹脂により形成するとともに、開閉翼片を内部に空孔を設けた箱状に形成している入賞装置を開示している。そして、この開閉翼片の下方に発光素子を発光させるプリント基板を配設するとともに、開閉翼片の下部に形成した発光体収容孔内に発光素子を挿入している。これにより、開閉翼片が明るく輝く入賞装置を開示している。
【０００５】
【特許文献１】特開２００２−２９２００４号公報
【特許文献２】特開平０７−１３６３２４号公報
【発明の開示】
【発明が解決しようとする課題】
【０００６】
しかしながら、特許文献１に示された入賞装置では、固定された前面板が明るく輝くのみであって、遊技者の興味を引くには十分でなかった。また、特許文献２に示された入賞装置では、開閉する開閉翼片が明るく輝き、遊技者の興味を引くことができるが、鋼製のパチンコ球が頻繁に衝突する開閉翼片が内部に空孔を設けた箱状であり、開閉翼片が肉薄に形成されているために、耐久性に劣り、実用性に課題を有している。
【課題を解決するための手段】
【０００７】
そこで、請求項１の発明では、パチンコ機の遊技盤の前面に取付ける取付ベースの前方に、開閉する一対の開閉翼片を設けたパチンコ機の入賞装置において、取付ベースには、開閉翼片の背部位置に発光体収容孔を設け、発光体収容孔内に発光体を収容するとともに、開閉翼片を透光性を有する樹脂から形成して、発光体の光を透光させる。
【０００８】
取付ベースに発光体収容孔を設け、この発光体収容孔内に発光体を収容しているために、発光させる機構を取付ベースの背面に配置される。また、発光体収容孔を開閉翼片の背部位置に設けているために、収容されている発光体が発光すると、透光性を有する樹脂からなる開閉翼片はその背部から照らされて、光り輝く。すなわち、開閉翼片を透光性の樹脂にするだけで、開閉翼片の耐久性を低下させることなく、明るく輝やかすことを可能になる。
【０００９】
請求項２の発明では、発光体収容孔は、開閉翼片を開閉可能に支える支軸ピンの軸線上に設けている。これによって、開閉翼片が開いても閉じても同じ明るさで輝やく。
【００１０】
請求項３の発明では、発光体収容孔に、透光性のピン止めを取付け、該ピン止めに開閉翼片を開閉可能に支える支軸ピンの一端を取付けている。これによって、簡単な構造で、発光体収容孔を支軸の軸線上に設けられる。
【００１１】
請求項４の発明では、取付けベースに取付けた前面板により、開閉翼片の下部前面を覆い、前面板には透光窓を設けている。これによって、前面板の透光窓を輝かせることができる。
【００１２】
請求項５の発明では、透光窓には、光を分散させるレンズが取付けられている。これによって、透光窓を特に明るく輝かせることができる。
【００１３】
請求項６の発明では、開閉翼片は、透明体からなる内部翼片と、内部翼片の背部を露出するとともに内部翼片の一部を露出する窓部を設けている外殻翼片とからなる。これにより、外殻翼片に設けた窓部のみを明るく輝やかすことが可能になる。
【００１４】
請求項７の発明では、取付ベースの前面に発光体収容孔の前端に連続するベース発光凹部を形成し、ベース発光凹部の前面を透光性の透光飾りにより被覆している。これにより、開閉翼片を明るく輝かせる発光体により、取付ベースに設けた透光飾りをも明るく輝やかすことができる。
【発明の効果】
【００１５】
請求項１の発明では、パチンコ機の遊技盤の前面に取付ける取付ベースの前方に、開閉する一対の開閉翼片を設けたパチンコ機の入賞装置において、取付ベースには、開閉翼片の背部位置に発光体収容孔を設け、発光体収容孔内に発光体を収容するとともに、開閉翼片を透光性を有する樹脂から形成して、発光体の光を透光させることにより、開閉する開閉翼片が明るく輝いて、遊技者の興味を引くパチンコ機の入賞装置とすることができる。
【発明を実施するための最良の形態】
【００１６】
開閉翼片を耐久性を低下させることなく、明るく輝やかすという目的を、透光性を有する樹脂からなる開閉翼片を背部から照らすことによって実現した。
以下、この発明の実施例１及び実施例２を図面を参照して詳細に説明する。
【実施例１】
【００１７】
入賞装置は、図１、図２に示すように、遊技盤面に取付けられる取付ベース１の前方に前面カバー２が設けられている。また、取付ベース１の背面側に背面板３が取付けられている。そして、前面カバー２内に開閉作動する開閉翼片４、４が対向して設けられている。
【００１８】
図３により、パチンコ球の流れに基づいて説明すると、パチンコ球を受け入れる受入れ口１０が、取付ベース１の上部に前方に突出して枠状に形成されている。受入れ口１０により受け入れられたパチンコ球は、二枚の開閉翼片４間を流下し、前面カバー２の内面に形成された傾斜面２２により受止められて後方に誘導される。取付ベース１の中央には球通孔１１が設けられて、パチンコ球を機裏へ転入するとともに、取付ベース１の裏側には、パチンコ球が転動する誘導片１２が後方に突出して設けられている。さらに、背面板３に設けられているガイド突起３０に衝突して下方へ流下して入賞装置から排出される。
【００１９】
前面カバー２は、図２に示すように、カバー本体２０とこの前面を覆うカバー蓋２１により構成され、カバー本体２０の両袖から後方に延びる取付片２３の先端を、取付ベース１に形成したねじ孔１３の背面から、図示しない取付けねじにより取付けられている。カバー本体２０は、透光性のある合成樹脂により形成されていて、前面左右にはレンズ部２５が突出形成されている。また、カバー本体２０の下縁左右には、小レンズ部２６が複数個突出して形成されている。また、カバー蓋２１は、不透光性の合成樹脂により形成されていて、カバー本体２０のレンズ部２５の部位に透光窓２４が設けられている。
【００２０】
一方、図２、図５に示すように、取付ベース１の背面には、四本の背面板取付座１４、１４、１４、１４が左右上下の四隅に後方に向けて突出形成され、それぞれの先端面にねじ孔が設けられている。一方、背面板３には、背面板取付座１４に対応する各部位に取付孔３１が形成されていて、その背面から図示しない取付ビスによって、取付ベース１との間に間隔を保持して固定されている。
【００２１】
開閉翼片４、４を開閉する開閉翼片作動機構について説明すると、図２に示すように、背面板３の左右前面には、支え枠３２が形成され、この支え枠３２により駆動ソレノイド５３が位置決めされるとともに、背面板３の裏面から図示しない固定ビスによって固定されている。なお、駆動ソレノイド５３は図示しない制御装置からの励磁信号によって励磁駆動する。
【００２２】
また、図６に示すように、この駆動ソレノイド５３の下方に、駆動ソレノイド５３の後側から下方に延出する延長片５３ａにその後端が載置されて梃子板５４が配置されている。梃子板５４は、梃子板５４の両側から前方に突出する梃子係合片５４ａを有し（図２参照）、また、梃子板５４の中央からプランジャ部５４ｂが上方に向けて形成され、プランジャ部５４ｂの先端が駆動ソレノイド５３内に配置されている。そして駆動ソレノイド５３内に設けられた図示しないコイルスプリングにより、プランジャ部５４ｂは下方に付勢されている。これにより、梃子板５４は、駆動ソレノイド５３が消磁している際には、下方に押し下げられている。また、駆動ソレノイド５３が励磁すると、梃子板５４がコイルスプリングの付勢力に抗して引き上げられる。
【００２３】
また、背面板３には、クランク軸支え３３が突出形成されていて、クランク軸支え３３にクランク軸５５の後端が取付けられている。そして、クランク軸５５を挿通してクランク片５６が取付けられている。このクランク片５６には、梃子板５４の梃子係合片５４ａの先端を係合するコ字状のクランク係合片５７が形成されている。これにより、駆動ソレノイド５３が励磁して梃子板５４を引上げると、クランク片５６はクランク軸５５を回転中心として回転運動を行うことになる。
【００２４】
また、クランク片５６には、クランク軸５５と偏心した位置に前方に延出する作動杆５８が設けられていて、取付ベース１の作動杆挿通孔１５内に延びている（図５参照）。そして、後述する作動片４３に係合して、開閉翼片４を開閉動作させる。
【００２５】
図２に示すように、二枚の対向して設けられている開閉翼片４は、透明プラスチックにより一体成形されている。そして、開閉翼片４には、開閉中心となる後述する支軸ピン６０を挿通する支軸取付孔４２が形成されている（図７参照）。
また、開閉翼片４には、作動杆５８の先端に係合する作動片４３が設けられ、また、その内側面が閉状態ではほぼ直立面となり、開状態では大きく開いてパチンコ球を受け止めるように形成されている。
【００２６】
図８は、図４のＢ−Ｂ線で切断し、発光体収容孔１７の周辺要部のみを表した一部の断面図であって、取付ベース１の裏面には、プリント基板６２が図示しない取付ねじにより固定されている。このプリント基板６２に、図示しない制御装置により発光が制御される発光体（ＬＥＤ）６２ａが設けられている。発光体６２ａは、発光体収容孔１７内に配置されて、発光体６２ａが発光すると、その光は発光体収容孔１７の前方に向けられる。
【００２７】
発光体収容孔１７の前面には、透光性の、この実施例１では透明プラスチックからなるピン止め６３が嵌め設けられていて（図２参照）、開閉翼片４を開閉可能に支持する支軸ピン６０の後端を支持している。また、支軸ピン６０の前端は前面カバー２に設けられた図示しない支軸受け孔に支持されている。これにより開閉翼片４が支軸ピン６０により回転可能に取付けられ、作動片４３に係合する作動杆５８により、開閉翼片４が開閉動作される。
【００２８】
また、これにより、発光体６２ａが発光すると、その光は透明なピン止め６３を通過して、開閉翼片４の背面から内部に侵入して、開閉翼片４の前面側に設けられたレンズ部２５及び小レンズ部２６を明るく輝やかせることになる。
【００２９】
次に、この実施例１の作用について説明する。
パチンコ遊技中に、図示しない制御装置により駆動ソレノイド５３に励磁信号が発せられると、駆動ソレノイド５３が励磁して、梃子板５４のプランジャ部５４ｂが上方に吸引される。これによって、開閉翼片作動機構である梃子板５４の梃子係合片５４ａが上方に移動し、クランク片５６が回転して、作動杆５８が開閉翼片４を開動作させる。また、同様に駆動ソレノイド５３に消磁信号が発せられると、作動杆５８が開閉翼片４を閉動作させる。
【００３０】
一方、図示しない制御装置によりプリント基板６２を介して、発光体６２ａに発光信号が発せられると、発光体６２ａが発光する。その光は発光体収容孔１７の前方に向けて発射されて、光が透明なピン止め６３を通じて、開閉翼片４の背面からその内部に侵入し、前面カバー２の透光窓２４（レンズ部２５）内と小レンズ部２６が明るく輝やく。
【００３１】
この実施例１では、開閉翼片４を透明プラスチックによりブロック状に一体成形していて、発光しない従来から知られている入賞装置の開閉翼片に比べて耐久性に劣ることなく、開閉翼片４を輝かすことができる。特に、前面板２に透光窓２４を設け、この透光窓２４に光を分散して輝かくレンズ部２５を取付けているために、開閉翼片４のみならず前面板２をも輝かすことができる。
【実施例２】
【００３２】
次に、この発明の実施例２を図９〜図１６を参照して詳細に説明する。
入賞装置は、図９、図１０に示すように、遊技盤面に取付けられる取付ベース１０１の前方に前面カバー２が設けられている。また、取付ベース１０１の背面側に背面板１０３が取付けられている。そして、前面カバー１０２内に開閉作動する開閉翼片１０４、１０４が対向して設けられている。
【００３３】
図１１により、パチンコ球の流れに基づいて説明すると、パチンコ球を受け入れる受入れ口１１０が、取付ベース１の上部に前方に突出して枠状に形成されている。受入れ口１１０により受け入れられたパチンコ球は、二枚の開閉翼片１０４間を流下し、前面カバー１０２の内面に形成された傾斜面１２２により受止められて後方に誘導される。取付ベース１０１の中央には球通孔１１１が設けられて、パチンコ球を機裏へ転入するとともに、取付ベース１０１の裏側には、パチンコ球が転動する誘導片１１２が後方に突出して設けられている。さらに、背面板１０３に設けられているガイド突起１３０に衝突して下方へ流下する。そして、ガイド突起１３０の下方に設けられた近接スイッチ１５１のカウント孔１５１ａ内を流下して入賞装置から排出される。なお、近接スイッチ１５１を通過する際に、流下するパチンコ球の球数がカウントされ、その球数情報が、図示しない制御装置に入力される。
【００３４】
前面カバー１０２は、図１０、図１１に示すように、カバー本体１２０とこの前面周縁を覆うカバー蓋１２１により構成され、カバー本体１２０の両袖から後方に延びる取付片１２３の先端が取付ベース１０１に形成した取付孔１１３に挿入係合して取付けられている。カバー蓋１２１は、カバー本体１２０の前面を縁取りする額枠１２４を有し、カバー本体１２０の周縁を縁取りしている。また、カバー本体１２０は、透光性のある合成樹脂により形成され、上半部には銀メッキが施されて、下半部のみが透光性を有している。そして、カバー本体１２０内には、下部プリント基板１５２が取付けられている。この下部プリント基板１５２上には、図示しない制御装置により発光が制御される下部発光体（下部ＬＥＤ）１５２ａが固定されている。この下部プリント基板１５２に設けられた下部発光体１５２ａが発光すると、カバー本体１２０の下半部が明るく輝いて、意匠感を高める作用を生じさせることが可能とされている。
【００３５】
一方、図１０、図１３に示すように、取付ベース１の背面には、四本の背面板取付座１１４、１１４、１１４、１１４が左右上下の四隅に後方に向けて突出形成され、それぞれの先端面にねじ孔が設けられている。一方、背面板１０３には、背面板取付座１１４に対応する各部位に取付孔１３１が形成されていて、その背面から図示しない取付ビスによって、取付ベース１０１との間に間隔を保持して固定されている。
【００３６】
開閉翼片１０４、１０４を開閉する開閉翼片作動機構について説明すると、図１０に示すように、背面板１０３の左右前面には、支え枠１３２が形成され、この支え枠１３２により駆動ソレノイド５３が位置決めされるとともに、背面板１０３の裏面から図示しない固定ビスによって固定されている。なお、駆動ソレノイド１５３は図示しない制御装置からの励磁信号によって励磁駆動する。また、図１４に示すように、この駆動ソレノイド１５３の下方に、駆動ソレノイド１５３の後側から下方に延出する延長片１５３ａにその後端が載置されて梃子板１５４が配置されている。梃子板１５４は、梃子板１５４の両側から前方に突出する梃子係合片１５４ａを有し（図１０参照）、また、梃子板１５４の中央からプランジャ部１５４ｂが上方に向けて形成され、プランジャ部１５４ｂの先端が駆動ソレノイド１５３内に配置されている。そして駆動ソレノイド１５３内に設けられた図示しないコイルスプリングにより、プランジャ部１５４ｂは下方に付勢されている。これにより、梃子板１５４は、駆動ソレノイド１５３が消磁している際には、下方に押し下げられている。また、駆動ソレノイド１５３が励磁すると、梃子板１５４がコイルスプリングの付勢力に抗して引き上げられる。
【００３７】
また、背面板１０３には、クランク軸支え１３３が突出形成されていて、クランク軸支え１３３にクランク軸１５５の後端が取付けられている。そして、クランク軸１５５を挿通してクランク片１５６が取付けられている。このクランク片１５６には、梃子板１５４の梃子係合片１５４ａの先端を係合するコ字状のクランク係合片１５７が形成されている。これにより、駆動ソレノイド１５３が励磁して梃子板１５４を引上げると、クランク片１５６はクランク軸１５５を回転中心として回転運動を行うことになる。また、クランク片１５６には、クランク軸１５５と偏心した位置に前方に延出する作動杆１５８が設けられていて、取付ベース１０１の作動杆挿通孔１１５内に延びている（図１３参照）。そして、後述する開閉翼片１０４の内部翼片１４１に設けた作動片１４３に係合して、開閉翼片１０４を開閉動作させる。
【００３８】
図１０に示すように、二枚の対向して設けられている開閉翼片１０４は、不透明プラスチック製の外殻翼片１４０と、その内部に収容された透光性の、この実施例２では透明プラスチック製の内部翼片１４１とにより形成されている。内部翼片１４１には、開閉中心となる後述する支軸ピン１６０を挿通する支軸取付孔１４２が形成されている（図１５参照）。
【００３９】
また、内部翼片１４１には、作動杆１５８の先端に係合する作動片１４３が設けられ、また、その内側面が閉状態ではほぼ直立面となり、開状態では大きく開いてパチンコ球を受け止めるように形成されている。
【００４０】
各開閉翼片１０４の外殻翼片１４０は、その背部が開放された箱形に形成され、また、内部翼片１４１をその内面及び外面がガタ付かないように密着して収容している。また、外殻翼片４０の前面に内部翼片１４１の前面が露出する窓１４４が形成されている。そして、外殻翼片１４０の内面には、銀メッキが施された反射面により光の反射率が高められている。
【００４１】
図１０に示すように、取付ベース１０１の前面には、左右に波形に延びるベース発光凹部１１６が設けられている。このベース発光凹部１１６には、銀メッキによる反射面が形成されて光の反射率が高められている。そして、ベース発光凹部１１６に透光性の透光飾り１６１が嵌め込まれている。
【００４２】
また、ベース発光凹部１１６の左右二カ所には、発光体収容孔１１７がそれぞれ形成されている。なお、発光体収容孔１１７の前面は、その円周の半部をベース発光凹部１１６内に設けている。
【００４３】
図１６は、図１２のＤ−Ｄ線で切断し、発光体収容孔１１７の周辺要部のみを表した一部の断面図であって、取付ベース１０１の裏面には、プリント基板１６２が図示しない取付ねじにより固定されている。このプリント基板１６２に、図示しない制御装置により発光が制御される発光体（ＬＥＤ）１６２ａが設けられている。発光体１６２ａは、発光体収容孔１７内に配置されて、発光体１６２ａが発光すると、その光は発光体収容孔１１７の前方に向けられる。また同時に、発光体収容孔１１７の前面は、ベース発光凹部１１６内にその円周の半部が開口しているために、ベース発光凹部１１６内にも光が回り、透光飾り１６１を明るく輝やかせる。
【００４４】
発光体収容孔１１７の前面には、透光性の、この実施例２では透明プラスチックからなるピン止め１６３が嵌め設けられていて（図１０参照）、内部翼片１４１を開閉可能に支持する支軸ピン１６０の後端を支持している。また、支軸ピン１６０の前端は前面カバー１０２に設けられた図示しない支軸受け孔に支持されている。これにより内部翼片１４１が支軸ピン１６０により回転可能に取付けられ、また、前述した内部翼片１４１の作動片１４３に係合する作動杆１５８により、開閉翼片１０４が開閉動作される。
【００４５】
また、これにより、発光体１６２ａが発光すると、その光は透明なピン止め１６３を通過して、内部翼片１４１の背面から内部に侵入し、外殻翼片１４０の窓１４４内が明るく輝くことになる。特に外殻翼片１４０の内表面には反射層が設けられて反射率が高められているために明るく輝やく。
【００４６】
次に、この実施例２の作用について説明する。
パチンコ遊技中に、図示しない制御装置により駆動ソレノイド１５３に励磁信号が発せられると、駆動ソレノイド１５３が励磁して、梃子板１５４のプランジャ部１５４ｂが上方に吸引される。これによって、開閉翼片作動機構である梃子板１５４の梃子係合片１５４ａが上方に移動し、クランク片１５６が回転して、作動杆１５８が開閉翼片１０４を開動作させる。また、同様に駆動ソレノイド１５３に消磁信号が発せられると、作動杆１５８が開閉翼片１０４を閉動作させる。
【００４７】
一方、図示しない制御装置によりプリント基板１６２を介して、発光体１６２ａに発光信号が発せられると、発光体１６２ａが発光する。その光は発光体収容孔１１７の前方に向けて発射されて、光が透明なピン止め１６３を通じて、内部翼片１４１の背面からその内部に侵入し、外殻翼片１４０の窓１４４内を明るく輝やかす。特に外殻翼片１４０の内表面に設けた反射層により反射して明るく輝やかされる。また、開閉翼片１０４が明るく輝くと同時にベース発光凹部１１６内にも光が回って透光飾り１６１を明るく輝やかせる。なお、例えば、開閉翼片１０４の明るさよりも透光飾り１６１の明るさの程度を低くして、明るさや色に変化を持たせるために、透光飾り１６１を乳白色の透光性のプラスチックや透光性の有色プラスチックとすることもできる。
【００４８】
この実施例２では、背部が開放された箱形の外殻翼片１４０の内部に密着して収容される内部翼片１４１により開閉翼片１０４を一体的に形成しているために、発光しない従来から知られている入賞装置の開閉翼片に比べて耐久性に劣るところがない。また、箱形の外殻翼片１４０を不透明プラスチック製とし、内部翼片１４１を透明プラスチック製としているために、開閉翼片１０４の全体が輝くのではなくて、外殻翼片１４０の前面に形成した窓１４４のみが輝やくことになる。
【図面の簡単な説明】
【００４９】
【図１】図１〜図８は実施例１を示し、図１は全体斜視図
【図２】分離斜視図
【図３】中央縦断面図
【図４】図３におけるＡ−Ａ線切断断面図
【図５】取付ベース版の背面側の斜視図
【図６】開閉翼片の開閉作動機構の斜視図
【図７】内部翼片の斜視図
【図８】図４におけるＢ−Ｂ線切断断面図
【図９】図９〜図１６は実施例２を示し、図９は全体斜視図
【図１０】分離斜視図
【図１１】中央縦断面図
【図１２】図１１におけるＣ−Ｃ線切断断面図
【図１３】取付ベース版の背面側の斜視図
【図１４】開閉翼片の開閉作動機構の斜視図
【図１５】内部翼片の斜視図
【図１６】図１２におけるＤ−Ｄ線切断断面図
【符号の説明】
【００５０】
１…取付ベース
２…前面カバー
４…開閉翼片
１７…発光体収容孔
２４…透光窓
４２…支軸取付孔
６０…支軸ピン
６２…プリント基板
６２ａ…発光体
６３…ピン止め
【図１】
2005040336.tif 000003
【図２】
2005040336.tif 000004
【図３】
2005040336.tif 000005
【図４】
2005040336.tif 000006
【図５】
2005040336.tif 000007
【図６】
2005040336.tif 000008
【図７】
2005040336.tif 000009
【図８】
2005040336.tif 000010
【図９】
2005040336.tif 000011
【図１０】
2005040336.tif 000012
【図１１】
2005040336.tif 000013
【図１２】
2005040336.tif 000014
【図１３】
2005040336.tif 000015
【図１４】
2005040336.tif 000016
【図１５】
2005040336.tif 000017
【図１６】
2005040336.tif 000018